(57)【要約】【課題】ヘッドフォンもしくはイヤーフォンの整然としかつ保護された携帯を可能にすると同時に、ヘッドフォンもしくはイヤーフォンを必要なときに簡単に提供する、ヘッドフォンまたはイヤーフォンの保管装置を提供する。【解決手段】ヘッドフォンまたはイヤーフォンの保管装置であって、ベースプレート（１１）が設けられていて、該ベースプレートは、該ベースプレート（１１）に直交する方向で一体成形された軸部（１４）を有しており、該軸部に、巻取りリール（２）が回転可能に支承されていて、該巻取りリールは、互いに対して平行に配置された円形の２つのディスク（２２，２７）を有し、該２つのディスクの間に巻取りスペースが形成されており、前記ベースプレートとは反対の側に配置された上側のディスク（２２）に、小型フォンプラグ（７１）を貫通案内する切欠き（２５）が配置されている。【選択図】図２
2014241652.tif 000002
【特許請求の範囲】
【請求項１】
ヘッドフォンまたはイヤーフォンの保管装置であって、
ベースプレート（１１）が設けられていて、該ベースプレート（１１）は、該ベースプレート（１１）に直交する方向で一体成形された軸部（１４）を有しており、
該軸部（１４）に、巻取りリール（２）が回転可能に支承されていて、該巻取りリール（２）は、互いに対して平行に配置された円形の２つのディスク（２２，２７）を有し、該２つのディスク（２２，２７）の間に巻取りスペースが形成されており、前記ベースプレート（１１）とは反対の側に配置された上側のディスク（２２）に、小型フォンプラグ（７１）を貫通案内する切欠き（２５）が配置されていることを特徴とする、ヘッドフォンまたはイヤーフォンの保管装置。
【請求項２】
前記軸部（１４）は、該軸部（１４）の自由端に係止突起（１５）を有し、該係止突起（１５）により、前記巻取りリール（２）は軸方向で前記軸部（１４）に位置固定されている、請求項１記載の装置。
【請求項３】
前記ベースプレート（１１）は、少なくとも部分的に環状に延びるように外壁部分（１２）を有し、該外壁部分（１２）は、出口開口（１３）を有しかつ前記上側のディスク（２２）の周囲を少なくとも部分的に取り囲んでいる、請求項１または２記載の装置。
【請求項４】
前記ベースプレート（１１）に面した側に配置された前記下側のディスク（２７）は、前記上側のディスク（２２）に比べて小さな外径を有する、請求項３記載の装置。
【請求項５】
前記上側のディスク（２２）の、前記下側のディスク（２７）とは反対の側の上面に、巻取りリール（２）を手動で回転させるための凹部および／または凸部が配置されている、請求項１から４までのいずれか１項記載の装置。
【請求項６】
前記上側のディスク（２２）の上面は、小型フォンプラグ（７１）の収容部を有する、請求項１から５までのいずれか１項記載の装置。
【請求項７】
前記上側のディスク（２２）の上面は、環状に延び有利には円弧を描くウェブ（２３）を有し、該ウェブ（２３）にはケーブル（７２）の出口開口（２３１）が加工されていて、かつ前記ウェブ（２３）は、小型フォンプラグ（７１）の収容スペース（２４）を画定している、請求項６記載の装置。
【請求項８】
前記上側のディスク（２２）の前記切欠き（２５）は、スリットにより形成されており、該スリットは、環状に延びる前記ウェブ（２３）の対峙する２つの箇所の間に延びており、該スリットの幅は、前記小型フォンプラグ（７１）が貫通案内可能であるような寸法に成形されている、請求項１から７までのいずれか１項記載の装置。
【請求項９】
前記スリットにより形成された前記切欠き（２５）の下方で、前記下側のディスク（２７）に、前記スリットに対して平行に、前記小型フォンプラグ（７１）の案内部が凹設部（２８）の形態で配置されている、請求項８記載の装置。
【請求項１０】
前記上側のディスク（２２）の前記切欠き（２５）は、孔によって形成されており、前記下側のディスク（２７）に、前記孔と整合する切欠き（２９）が加工されており、該切欠き（２９）は、前記巻取りリール（２）の所定の位置で、前記ベースプレート（１１）に加工された貫通案内部（１７）と整合し、前記巻取りリール（２）の前記位置では、小型フォンプラグ（７１）が前記切欠き（２５，２９）に貫通案内されて、前記収容スペース（２４）内に導入可能であるようになっている、請求項１から７までのいずれか１項記載の装置。
【請求項１１】
前記下側のディスク（２７）の前記切欠き（２９）ならびに前記ベースプレート（１１）の前記貫通案内部（１７）はそれぞれ、前記上側のディスク（２２）の前記切欠き（２５）に対応する孔によって形成されており、該孔を起点として、前記下側のディスク（２７）もしくは前記ベースプレート（１１）の外縁部にまでスリットが延びている、請求項１０記載の装置。
【請求項１２】
前記上側のディスク（２２）の前記上面に、小型フォンプラグ（７１）を収容する、互いに対して平行に配置された２つの係止アーム（２２２）が一体成形されている、請求項６から１１までのいずれか１項記載の装置。
【請求項１３】
前記ウェブ（２３）によって画定された前記収容スペース（２４）は、着脱可能に取り付けられたカバー（３）によって覆われている、請求項７から１２までのいずれか１項記載の装置。
【請求項１４】
前記カバー（３）には、前記係止アーム（２２２）に面した側に、互いに対して平行に延びる２つのウェブ（３３）が一体成形されており、該ウェブ（３３）は、前記係止アーム（２２２）に外側で当て付けられる、請求項１２または１３記載の装置。
【請求項１５】
前記下側のディスク（２７）は、前記ベースプレート（１１）に面した側に、ばね、有利には渦巻ばねの収容部を有し、前記ベースプレート（１１）に、位置固定レバー（５）が配置されていて、該位置固定レバー（５）を介して、巻取りリール（２）が、種々の回転位置において、前記ばねのばね力に抗して位置固定可能である、請求項１から１４までのいずれか１項記載の装置。
【請求項１６】
前記下側のディスク（２７）に周方向に延びるように係止溝（２７２）が加工されており、該係止溝（２７２）は、前記位置固定レバー（５）と協働し、該係止溝（２７２）を介して巻取りリール（２）が位置固定可能である、請求項１５記載の装置。
【請求項１７】
前記ベースプレート（１１）は、スマートフォンの後壁部分に、またはスマートフォン用の保護スリーブ（６）の後壁部分（６１）に結合されている、請求項１から１６までのいずれか１項記載の装置。
【請求項１８】
前記ベースプレート（１１）は、該ベースプレート（１１）が同時にスマートフォンもしくは保護スリーブの前記後壁部分の少なくとも一部を形成するように、スマートフォンに、またはスマートフォンの前記保護スリーブ（６）に一体成形されている、請求項１７記載の装置。
【請求項１９】
前記ベースプレート（１１）は、スマートフォンもしくは前記保護スリーブ（６）に着脱可能に結合されている、請求項１７記載の装置。
【請求項２０】
前記ベースプレート（１１）は、係止手段を有しており、該係止手段は、スマートフォンもしくは前記保護スリーブに配置された係止手段に着脱可能に係止されている、請求項１９記載の装置。
【請求項２１】
前記ベースプレート（１１）に、少なくとも１つの翼部（１９）が一体成形されており、該翼部（１９）は、スマートフォンもしくは前記保護スリーブの前記後壁部分に配置された収容部に押込み可能である、請求項１９記載の装置。
【発明の詳細な説明】
【技術分野】
【０００１】
本発明は、請求項１に記載されたヘッドフォンまたはイヤーフォンの保管装置に関する。
【背景技術】
【０００２】
携帯電話として、いわゆるスマートフォンがますます使用されるようになっている。ここで、スマートフォンとは、携帯電話の機能を付加的に備えた可搬の小型コンピュータである。スマートフォンは、通常はイヤーフォンと共に供給される。イヤーフォンは、しばしば組み込まれたマイクロフォンを有しているので、ヘッドセットとしても使用可能である。このイヤーフォンは、使用者により、頻繁にスマートフォンで電話をするためも、音楽を聞くためにも、ビデオゲームで遊ぶためにも使用される。このために、イヤーフォンは通常は携帯される。この場合、イヤーフォンのケーブルがもつれて、しばしば同じポケット内にある別の紐状の物体と絡まる、という問題がますます増大している。ケーブルの折れ曲がりが起こることもあり、このことはケーブル破損を招く虞がある。
【発明の概要】
【発明が解決しようとする課題】
【０００３】
本発明は上記不都合を回避するための手段を提供しようとするものである。本発明の根底を成す課題は、ヘッドフォンもしくはイヤーフォンの整然としかつ保護された携帯を可能にすると同時に、ヘッドフォンもしくはイヤーフォンを必要に応じて簡単に提供する、ヘッドフォンまたはイヤーフォンの保管装置を提供することである。
【課題を解決するための手段】
【０００４】
上記課題を解決するために、本発明の請求項１に記載の構成では、ヘッドフォンまたはイヤーフォンの保管装置であって、ベースプレートが設けられていて、該ベースプレートは、該ベースプレートに直交する方向で一体成形された軸部を有しており、該軸部に、巻取りリールが回転可能に支承されていて、該巻取りリールは、互いに対して平行に配置された円形の２つのディスクを有し、該２つのディスクの間に巻取りスペースが形成されており、前記ベースプレートとは反対の側に配置された上側のディスクに、小型フォンプラグを貫通案内する切欠きが配置されているようにした。
【発明の効果】
【０００５】
本発明によれば、ヘッドフォンまたはイヤーフォンの、整然としかつ保護された携帯を可能にすると同時にヘッドフォンもしくはイヤーフォンを必要なときに簡単に提供するヘッドフォンまたはイヤーフォンの保管装置が提供される。一緒に供給されるケーブルは、回転可能に支承された巻取りリール上に巻取り可能であり、この場合、ヘッドフォンもしくはイヤーフォンの小型フォンプラグは、上側のディスクに設けられた貫通案内部により貫通案内され得る。したがって、小型フォンプラグは装置の外側に位置していて、簡単にスマートフォンの対応するジャックに接続され得る。
【０００６】
本発明の別の態様では、軸部が、その自由端に係止突起を有している。この係止突起によって、巻取りリールは、軸方向で軸部に沿って位置固定されている。これによって、装置の簡単な組立てが生じる。巻取りリールは、係止突起を乗り越えて軸部に被せ嵌められた後に自動的に軸方向で固定される。
【０００７】
本発明の１態様では、ベースプレートが、少なくとも部分的に環状に延びるように外壁部分を有している。この外壁部分は、出口開口を有していて、上側のディスクの周囲を少なくとも部分的に取り囲んでいる。これによって、巻き取りたいケーブルのガイドが達成され、この場合、巻取りリールの両ディスクの間ならびにベースプレートの外壁部分との間に、巻取りスペースが画定されている。出口開口は、ヘッドフォンもしくはイヤーフォンのケーブルの、装置内への導入を可能にし、この場合、スピーカは、装置の外側に配置されている。これによって、使用者によってスピーカは簡単に到達可能である。さらに、このような配置は、ケーブルの必要な長さの調節を、スピーカ側の端部においてケーブルを部分的に引き出すことだけで可能にする。
【０００８】
本発明の別の態様では、ベースプレートに向いた側に配置された下側のディスクは、上側のディスクに比べて小さな外径を有している。これによって、巻取りリールと、ベースプレートの環状に延びる外縁部との間に形成された収容スペースは、外方に向かって拡大されており、これによって、イヤーフォンのケーブル内に内蔵された現存するマイクロフォンの巻取りが可能にされている。
【０００９】
本発明の別の態様では、上側のディスクの、下側のディスクとは反対の側の上面に、巻取りリールを手動で回転させるための凹部および／または凸部が配置されている。これによって、ヘッドフォンもしくはイヤーフォンの巻取りが容易にされている。
【００１０】
有利には、上側のディスクの上面は、小型フォンプラグの収容部を有している。これによって、ヘッドフォンもしくはイヤーフォンに端部側で配置された小型フォンプラグの整然とした保管が可能にされている。有利には、収容部は、上側のディスクの上面に互いに対して平行に配置された２つの係止アームによって形成されている。これらの係止アームの間で小型フォンプラグは位置固定可能である。
【００１１】
本発明の別の態様では、上側のディスクの上面は、環状に延び有利には１つの円弧を描くウェブを有している。このウェブには、ケーブルの出口開口が加工されていて、かつこのウェブは小型フォンプラグの収容スペースを画定している。これによって、ヘッドフォンもしくはイヤーフォンに設けられた小型フォンプラグの別個の保管スペースが形成されている。
【００１２】
本発明の別の態様では、上側のディスクの切欠きは、スリットによって形成されている。このスリットは、環状に延びるウェブの、対峙する２つの箇所の間に延びていて、該スリットの幅は、小型フォンプラグが貫通案内可能であるような寸法に設計されている。これによって、次いでケーブルを巻き取るために、ヘッドフォンもしくはイヤーフォンの小型フォンプラグを貫通案内することが容易にされている。このためには、有利にはこのスリットの下方で、下側のディスクには、当該スリットに対して平行に、凹設部の形態の小型フォンプラグの案内部が配置されている。
【００１３】
本発明の別の態様では、上側のディスクの貫通案内部は、孔によって形成されている。この場合、下側のディスクには、この孔と整合する切欠きが加工されている。この切欠きは、巻取りリールの所定の位置において、ベースプレートに加工された貫通案内部と整合し、この場合、巻取りリールのこの位置において、小型フォンプラグが切欠きを貫通案内され、上側のディスクの孔を通って収容スペース内に導入可能であるようにされる。これによって、ヘッドフォンもしくはイヤーフォンに設けられた小型フォンプラグを、次いでケーブルを巻き取る装置内に通し入れることが容易にされている。
【００１４】
有利には、下側のディスクの切欠きならびにベースプレートの貫通案内部は、それぞれ上側のディスクの切欠きに対応する孔によって形成されている。この孔を起点として、スリットが、下側のディスクもしくはベースプレートの外縁部にまで延びている。これによって、小型フォンプラグの貫通案内が、巻取りリール内へケーブルを通し入れることと同時に可能にされている。
【００１５】
本発明の別の態様では、ウェブによって画定された収容スペースが、着脱可能に取り付けられたカバーにより覆われている。これにより、収容しようとするヘッドフォンもしくはイヤーフォンの小型フォンプラグの閉鎖可能な収容スペースが形成されている。有利には、このカバーは、外方に向けられた上面に、巻取りリールを手動で回転させる凹部および／または凸部を備えていてよい。
【００１６】
本発明の別の態様では、カバーには、係止アームに面した側で、互いに対して平行な２つのウェブが一体成形されている。これらのウェブは、係止アームに外側から当て付けられて、これによって、小型フォンプラグの出口が形成されている。これによって、小型フォンプラグの良好な案内が達成されている。
【００１７】
本発明の別の態様では、下側のディスクが、ベースプレートに面した側に、ばね、有利には渦巻きばねの収容部を有している。この場合、ベースプレートには、位置固定レバーが配置されている。この位置固定レバーを介して、巻取りリールは種々の回転位置でばね力に抗して位置固定可能である。これによって、ヘッドフォンもしくはイヤーフォンのケーブルの自動的な巻取りが生じる。有利には、下側のディスクには、周方向に延びるように複数の係止溝が加工されている。これらの係止溝は、位置固定レバーと協働し、これらの係止溝を介して巻取りリールが位置固定可能である。
【００１８】
本発明の別の態様では、ベースプレートが、スマートフォンの後壁部分またはスマートフォン用保護スリーブの後壁部分に結合されている。これによって、ヘッドフォンもしくはイヤーフォンの一体化された保管可能性が提供されている。この場合、ベースプレートは、有利にはスマートフォンに、またはスマートフォンの保護スリーブに一体成形されていて、この場合、ベースプレートが、スマートフォンもしくは保護スリーブの後壁部分の少なくとも一部を同時に形成するようにされる。択一的には、ベースプレートは、スマートフォンもしくは保護スリーブに着脱可能に結合されていてもよい。スマートフォン用保護スリーブと装置との結合は、装置が、保護スリーブによって収容され得る複数のスマートフォンに対して使用可能である、という利点を有している。
【００１９】
本発明の１態様では、ベースプレートが係止手段を有している。係止手段は、スマートフォンに、もしくは保護スリーブに配置された係止手段に着脱可能に係止されている。これによって、スマートフォンもしくはスマートフォンを収容する保護スリーブへの簡単な装着が可能にされている。
【００２０】
本発明の別の態様では、ベースプレートに、少なくとも１つの翼部が一体成形されている。この翼部は、スマートフォンもしくは保護スリーブの後壁部分に配置された収容部に押込み可能である。これによって、スマートフォンもしくはスマートフォンを収容する保護スリーブに必要に応じて装置を装着することが可能にされている。有利には、互いに対してそれぞれ９０°だけずらされた４つの翼部が配置されている。これらの翼部は、ベースプレートを補完して四角形の面を形成している。これによって、スマートフォンもしくはスマートフォンを収容している保護スリーブへの装置の取付けは、それぞれ９０°ずらされた４つの位置で可能にされている。これによって、装置により収容された小型フォンプラグの最適な配向が可能にされている。
【００２１】
本発明の別の態様は、請求項２以下に記載されている。本発明の実施の態様を図面に示し、以下に詳しく説明する。
【図面の簡単な説明】
【００２２】
【図１】スマートフォンのイヤーフォン用の保管装置の概略的な三次元図である。
【図２】図１に示した保管装置を示唆されたイヤーフォンを備えた分解図で示す図である。
【図３】図１に示した保管装置を別の分解図で示す図である。
【図４】スマートフォンのイヤーフォン用の保管装置を別の実施の形態で示す概略的な三次元図である。
【図５】図４に示した保管装置を示唆されたイヤーフォンを備えた分解図で示す図である。
【図６】図４に示した保管装置を別の分解図で示す図である。
【図７】スマートフォン用の一体成形された保護スリーブを備えた、イヤーフォン用の保護装置を示す概略的な三次元図である。
【図８】図７に示した保管装置を下から見た図である。
【図９】図７に示した保管装置を示唆されたイヤーフォンを備えた分解図で示す図である。
【図１０】図７に示した保管装置を別の分解図で示す図である。
【図１１】スマートフォン用の一体成形された保護スリーブを備えた、イヤーフォン用の保護装置を別の実施の形態で示す概略的な三次元図である。
【図１２】図１１に示した保管装置を下から見た図である。
【図１３】図１１に示した保管装置を示唆されたイヤーフォンを備えた分解図で示す図である。
【図１４】図１１に示した保管装置を別の分解図で示す図である。
【図１５】スマートフォン用の保護スリーブに着脱可能に結合される、イヤーフォンの保管装置の概略的な三次元図である。
【図１６】図１５に示した保管装置を別の分解図で示す図である。
【発明を実施するための形態】
【００２３】
具体的な形態として選択された、スマートフォンに用いられるイヤーフォンの保管装置は、主として、巻取りリール２を収容するカップ形のベースボディ１を有している。巻取りリール２は、カバー３を介して閉じられた、フォンプラグ７１の収容スペース２４を有している。
【００２４】
ベースボディ１は、本実施の形態では、プラスチック射出成形部分として製造されている。ベースボディ１は、主として、円板形のベースプレート１１を有していて、このベースプレート１１には、当該ベースプレート１１に対して直交する方向に配置された円弧状の外壁部分１２が、外側に環状に延びるように一体成形されている。外壁部分１２は、一方の側に、出口開口１３を有している。ベースプレート１１上には真ん中に、該ベースプレート１１に対して直交する方向で軸部１４が一体成形されている。この軸部１４は、スリットを切られた円筒体の形態で成形されており、この円筒体は、スリットの両側に係止突起１５を有している。
【００２５】
巻取りリール２は、やはりプラスチック射出成形部分として製造されている。この巻取りリール２は、主として、互いに対して平行に配置された２つのディスク２２，２７を有している。これら２つのディスク２２，２７は、互いに対して間隔を置いて、該ディスク２２，２７を通って中心に案内された、中空円筒状に形成された軸部収容部２１を介して結合されている。ベースボディ１のベースプレート１１に面した下側のディスク２７は、本実施の形態では、対峙する上側のディスク２２に比べて小さな直径を有している。軸部収容部２１に対して同軸的に、上側のディスク２２には円弧状のウェブ２３が一体成形されている。該円弧状のウェブ２３の両端部の間に、出口開口２３１が形成されている。ウェブ２３は、周囲に、カバー３の係止アーム３１を収容する係止開口２６を備えている。軸部収容部２１に対して間隔を置いて、上側のディスク２２には、スリット状の切欠き２５が加工されている。該切欠き２５は、環状に延びるウェブ２３の対峙する２つの箇所の間に延びていて、切欠き２５の幅は、小型フォンプラグ７１が長手方向で貫通案内可能であるように寸法設計されている。
【００２６】
環状に延びるウェブ２３の内側で、上側のディスク２２上にはさらに、互いに対して平行に配置された２つの係止アーム２２２が、小型フォンプラグ７１をクランプ式に位置固定するように一体成形されている。環状に延びるウェブ２３によって画定された収容スペース２４の外側で、上側のディスク２２上には、環状に間隔を置いた複数の凸部２２１が一体成形されている。これらの凸部２２１は、イヤーフォン７のケーブル７２の巻取り時における巻取りリール２の改善された操作のために役立つ。
【００２７】
上側のディスク２２に設けられたスリット状の切欠き２５の下方で、下側のディスク２７には、相応して下側のディスク２７に沿って延びる凹設部２８が加工されている。凹設部２８は、上側のディスク２２の切欠き２５内への貫通案内時に、小型フォンプラグ７１を案内するために役立つ。下側のディスク２７には、ベースプレート１１に面した側で、環状に延びる縁部２７１が一体成形されている。
【００２８】
カバー３は、丸形のプラスチック製ディスクの形態で形成されている。カバー３の周囲には、該カバーに対して直交する方向で巻取りリール２に向かって、係止アーム３１が一体成形されている。この係止アーム３１は、ウェブ２３に設けられた係止開口２６に係止する。さらに、カバー３内には、ほぼ四角形の切欠き３２が加工されている。この切欠き３２の両長辺は、カバー３の、ベースボディ１に面した下面に一体形成されたウェブ３３を備えている。これらのウェブ３３は、カバー３が組み付けられた状態で、巻取りリール２の係止アーム２２２に外側で当て付けられるように、カバー３に配置されていて、これにより係止アーム２２２でクランプされた小型フォンプラグ７１が付加的に位置固定されている。
【００２９】
上記で説明した装置内でイヤーフォン７を保管するために、まず、巻取りリール２は、下側のディスク２７の凹設部２８が、ベースボディ１の出口開口１３と整合するように回転させられる。次いで、イヤーフォン７の小型フォンプラグ７１が、凹設部２８に沿って押し込まれ、上側のディスク２２のスリット状の切欠き２５を貫通案内され、その後に係止アーム２２２の間にクランプされる。次いで、カバー３が巻取りリール２上に取り付けられて、この場合、カバー３の係止アーム３１が、巻取りリール２のウェブ２３に設けられた係止開口２６内に係止される。この場合、カバー３のウェブ３３が、係止アーム２２２に外側で当て付けられる。次いで、巻取りリール２を、ベースボディ１に設けられた軸部１４を中心として回転させることにより、イヤーフォン７のスピーカ７３がベースボディ１の出口開口１３に当て付けられるまで、イヤーフォン７のケーブル７２が巻取りリール２上に巻き取られる。イヤーフォン７を使用するためには、ケーブル７２を所望の長さで巻取りリール２から繰り出し、次いで小型フォンプラグ７１を引き出してスマートフォンに接続する。
【００３０】
図４に示した実施の形態では、収容装置がばね機構を備えている。この場合、巻取りリール２と、ベースボディ１のベースプレート１１との間に渦巻ばねが配置されており、ベースボディ１のベースプレート１１上には、該ベースプレート１１に一体成形されたレバー軸部１６において位置固定レバー５が旋回可能に配置されている。この場合、位置固定レバー５の係止突起５１は、巻取りリール２の下側のディスク２７に設けられた環状に延びる縁部２７１に加工された係止溝２７２に係止する。この場合、係止突起５１は、渦巻ばね４の力に抗した巻取りリール２の回転時にのみ係止が行われるように、公知の形式で形成されている。
【００３１】
図７に示した実施の形態では、保管装置のベースボディ１は、スマートフォン（図示せず）用の保護スリーブ６の後壁部分６１とワンピースに一体成形されている。この場合、ベースボディ１の出口開口１３は、一体形成された漏斗部分１３１によって形成されている。後壁部分６１およびベースボディ１は、本実施の形態では、一体的に、つまりワンピースのプラスチック射出成形部分として形成されている。スマートフォン（図示せず）を取り囲む側壁部６２は、可撓性のエラストマから形成されている。この実施の形態では、ベースボディ１のベースプレート１１は、保護スリーブ６の後壁部分６１と一体的に、つまりワンピースに形成されている。イヤーフォン７のケーブル７２の導入のために、本実施の形態では、ベースプレート１１に、孔の形態の貫通案内部１７が加工されている。貫通案内部１７は、スリット形の切欠きに開口している。巻取りリール２の上側のディスク２２の切欠き２５は、この実施の形態では同じく孔により形成されている。この場合、下側のディスク２７には、この切欠き２５と一列に整合する切欠き２９が加工されている。この切欠き２９は、同様に、上側のディスク２２の孔に対応する孔によって形成されている。この孔を起点として、スリットが下側のディスク２７の外縁部にまで案内されている。イヤーフォン７の小型フォンプラグ７１の導入のために、巻取りリール２は、該巻取りリール２の切欠き２５，２９がベースボディ１１の貫通案内部１７と一列に整合するように、回転させられる。次いで、小型フォンプラグ７１は、上側のディスク２２の収容スペース２４内に導入され、係止アーム２２２の間で位置固定される。
【００３２】
図１１に示した実施の形態では、保管装置が、上述の形態でばね機構を備えている。この場合、渦巻ばね４は、軸部１４に対して同心的にベースプレート１１に加工された２つの貫通部１８に位置固定されている。
【００３３】
図１５に示した実施の形態では、ベースボディ１のベースプレート１１は、９０°だけずらされて配置された４つの翼部１９を備えているので、四角形のベース面が形成されている。ベースボディ１は、外壁部分１２によって、保護スリーブ６の円形の切欠き６３を通って案内されているので、翼部１９は、保護スリーブ６の後壁部分６１に当て付けられる。次いで、巻取りリール２が、ベースボディ１の軸部１４に被せ嵌められ、カバー３が、上記で説明したように巻取りリール２上に取り付けられる。スマートフォンを収容する保護スリーブ６における本発明による保管装置の着脱可能な取付けは、収容されたイヤーフォン７の小型フォンプラグ７１もしくはスピーカ７３の所望の配向に応じて、保管装置を種々異なる向きで位置決めすることができる、という利点を提供する。
【００３４】
本発明の対象は、ヘッドフォンまたはイヤーフォンの保管に制限されない。たとえば、スマートフォンと共に供給される充電ケーブルをこのような装置に保管することも可能である。
【符号の説明】
【００３５】
１  ベースボディ
２  巻取りリール
３  カバー
５  位置固定レバー
６  保護スリーブ
７  イヤーフォン
１１  ベースプレート
１２  外壁部分
１３  出口開口
１４  軸部
１５  係止突起
１９  翼部
２２  上側のディスク
２３  ウェブ
２４  収容スペース
２５  切欠き
２６  係止開口
２７  下側のディスク
２８  凸部
２９  切欠き
６１  後壁部分
７１  小型フォンプラグ
７２  ケーブル
７３  スピーカ
２２２  係止アーム
２３１  出口開口
２７２  係止溝
【図１】
2014241652.tif 000003
【図２】
2014241652.tif 000004
【図３】
2014241652.tif 000005
【図４】
2014241652.tif 000006
【図５】
2014241652.tif 000007
【図６】
2014241652.tif 000008
【図７】
2014241652.tif 000009
【図８】
2014241652.tif 000010
【図９】
2014241652.tif 000011
【図１０】
2014241652.tif 000012
【図１１】
2014241652.tif 000013
【図１２】
2014241652.tif 000014
【図１３】
2014241652.tif 000015
【図１４】
2014241652.tif 000016
【図１５】
2014241652.tif 000017
【図１６】
2014241652.tif 000018